(57)【特許請求の範囲】
【請求項１】
２本の木杭を連結するための木杭連結具であって、
木杭と略同径の水平板と、
前記水平板の上面に立設する上鉛直板と、
前記水平板の下面に立設する下鉛直板と、からなり、
前記上鉛直板と前記下鉛直板の中央にはボルト孔を設け、
前記上鉛直板及び前記下鉛直板を各々の木杭の中心を通過するように設けたスリットに嵌挿して連結し、
２本の木杭どちらも、前記上・下鉛直板の中央に直交し、木杭を貫通するボルトによって固定することを特徴とする、
木杭連結具。
【請求項２】
２本の木杭を連結するための木杭連結具であって、
木杭と略同径の水平板と、
前記水平板の外周に周設する筒体と、
前記水平板の上面に立設する上鉛直板と、
前記水平板の下面に立設する下鉛直板と、
前記上鉛直板及び前記下鉛直板を各々の木杭の中心を通過するように設けたスリットに嵌挿して連結し、
２本の木杭どちらも、前記上・下鉛直板の中央に平面視直交し、木杭および前記筒体を貫通するボルトによって固定することを特徴とする、
木杭連結具。
【請求項３】
請求項１または請求項２に記載の木杭連結具において、前記上鉛直板と前記下鉛直板とは、互いに直角をなすように立設することを特徴とする、木杭連結具。
【発明の詳細な説明】
【技術分野】
【０００１】
本発明は、木製の支持杭（木杭）を連結する、木杭連結具に関するものである。
【背景技術】
【０００２】
従来、住宅等の構造物の地盤を支持杭によって補強する場合、支持杭としては鋼管杭やコンクリートパイルが使用されている。
しかし、近年は環境問題や地球温暖化問題へ対応するために、鋼管杭やコンクリートパイルと比較してコストが非常に安く、自然材であることから環境にも優しい木製の支持杭（木杭）の需要が高まっている。
【０００３】
支持杭として使用される木杭はスギやマツ等からなり、一本当たりの長さが４ｍ以下のものが一般的である。
そのため、木杭を地中深くまで打設する際には、打設した木杭の上部にさらに別途の木杭を当接して、上側の木杭に圧力を加えて下側の木杭と共に圧入することを繰り返しながら、所定の深さまで打設する方法が行われている。
【発明の概要】
【発明が解決しようとする課題】
【０００４】
このような木杭の打設方法には以下のような問題があった。
＜１＞木杭の打設を圧入のみで行うため、推進力に乏しく、打設に手間がかかる。
＜２＞木杭間は当接するのみであるため、曲げ耐力の弱い支持杭となってしまう。
＜３＞木杭間は連結していないため、一度打設した杭を引き抜くことは困難である。
【０００５】
本発明は、木杭同士を連結し、上側の木杭の圧力及び回転力を下側の杭に伝達することができる、木杭連結具を提供することを目的とする。
【課題を解決するための手段】
【０００６】
上記目的を達成するためになされた本願の第１発明は、２本の木杭を連結するための木杭連結具であって、木杭と略同径の水平板と、前記水平板の上面に立設する上鉛直板と、前記水平板の下面に立設する下鉛直板と、からなり、前記上鉛直板と前記下鉛直板の中央にはボルト孔を設け、前記上鉛直板及び前記下鉛直板を各々の木杭の中心を通過するように設けたスリットに嵌挿して連結し、２本の木杭どちらも、前記上・下鉛直板の中央に直交し、木杭を貫通するボルトによって固定することを特徴とする木杭連結具を提供する。
本願の第２発明は、２本の木杭を連結するための木杭連結具であって、木杭と略同径の水平板と、前記水平板の外周に周設する筒体と、前記水平板の上面に立設する上鉛直板と、前記水平板の下面に立設する下鉛直板と、前記上鉛直板及び前記下鉛直板を各々の木杭の中心を通過するように設けたスリットに嵌挿して連結し、２本の木杭どちらも、前記上・下鉛直板の中央に平面視直交し、木杭および前記筒体を貫通するボルトによって固定することを特徴とする、木杭連結具を提供する。
本願の第３発明は、第１発明または第２発明の木杭連結具において、前記上鉛直板と前記下鉛直板とは、互いに直角をなすように立設することを特徴とする、木杭連結具を提供する。
【発明の効果】
【０００７】
本発明は、上記した課題を解決するための手段により、次のような効果の少なくとも一つを得ることができる。
＜１＞上下の鉛直板を木杭のスリットに嵌挿するため、一方の木杭の回転力が他方の木杭にも伝達される。このため、圧入だけでなく、回転圧入による打設にも対応する支持杭とすることができる。
＜２＞水平板に立設した上下の鉛直板を木杭のスリットに嵌挿するため、曲げ耐力を有する支持杭を構築することができる。
＜３＞木杭と連結具を一体とすることで、杭の引き抜きも行うことができる。
＜４＞水平板の周囲に筒体を設けることにより、鉛直板や木杭に作用する回転力や水平力を筒体に分散することができる。
【図面の簡単な説明】
【０００８】
【図１】本発明にかかる木杭連結具の説明図
【図２】木杭連結具の使用状態の説明図
【図３】その他の実施例にかかる木杭連結具の説明図
【図４】その他の実施例にかかる木杭連結具の説明図
【発明を実施するための形態】
【０００９】
以下、図面を参照しながら本発明の実施の形態について説明する。
【実施例】
【００１０】
＜１＞全体の構成
本発明の木杭連結具１は、２本の木杭２ａ、２ｂを連結して、一本の支持杭とするためのものである。（図１）
本発明の木杭連結具１は、水平板１１と、水平板１１の上面１１１に立設した上鉛直板１２と、水平板１１の下面１１２に立設した下鉛直板１３とからなる。（図１）
以下、各構成部材について詳述する。
【００１１】
＜２＞水平板
水平板１１は連結する木杭２とほぼ同径の円盤である。
水平板１１は木杭２を連結した際に、上面１１１、下面１１２がそれぞれ上側の木杭２ａ、下側の木杭２ｂと当接する。
水平板１１の上面１１１には上鉛直板１２を、水平板１１に対して垂直に立設する。
同様に、水平板１１の下面１１２には下鉛直板１３を、水平板１１に対して垂直に立設する。
【００１２】
＜３＞鉛直板
上鉛直板１２、下鉛直板１３は底辺が水平板１１の径とほぼ同じ長さの矩形の平板である。
上鉛直板１２、下鉛直板１３は水平板１１の中心に立設する。
上鉛直板１２と下鉛直板１３は、同一平面となるように形成する。
上鉛直板１２、下鉛直板１３は木杭２に形成したスリット又は溝２１に嵌挿する。上鉛直板１２、下鉛直板１３の高さは、スリット２１の深さと同程度とする。
【００１３】
＜４＞木杭との連結
木杭連結具１は、上下に配置する木杭２ａ、２ｂのスリット２１ａ、２１ｂに、上鉛直板１２及び下鉛直板１３を嵌挿する。これにより、木杭２ａ、２ｂは木杭連結具１を介して連結される。
【００１４】
＜５＞木杭の打設
次に、木杭の打設方法について説明する。
まず、下に位置する木杭２ｂを所定の深さまで圧入や回転圧入によって打設し、スリット２１ｂに杭連結具１の下鉛直板１３を嵌挿して固定する。（図２ａ）
そして、図示しない杭打ち機等に吊り下げた杭２ａのスリット２１ｂに杭連結具１の上鉛直板１２を嵌挿する。（図２ｂ）
木杭２ａと２ｂとは、木杭連結具１を介して連結される。
【００１５】
上側の木杭２ａに圧力を加えながら木杭２ａ、２ｂを地盤に打設する。（図２ｃ）
木杭２ａ、２ｂは杭連結具１を介して連結されているため、木杭２ａに付与された圧力は杭連結具１を介して下側の木杭２ｂに伝達される。
また、木杭２ａに回転力を付与した場合、付与した回転力は上鉛直板１２、水平板１１及び下鉛直板１３を介して木杭２ｂに伝達される。
このため、圧入だけでなく、回転圧入による打設にも対応することができる。
【００１６】
上側の木杭２ａと下側の木杭２ｂとは杭連結具１の上下の鉛直板１２、１３をそれぞれの木杭のスリット２１ａ、２１ｂに嵌挿する。
このように構成することにより、一方の木杭にかかる水平力が杭連結具１を介して他方の木杭にも伝達されるため、曲げ耐力を有する支持杭を構築することができる。
【その他実施例】
【００１７】
＜６＞木杭連結具の固定
上述した実施例では、木杭連結具１は、上下に配置する木杭２ａ、２ｂのスリット２１ａ、２１ｂに、上鉛直板１２及び下鉛直板１３を嵌挿しただけであったが、木杭２にスリット２１のほぼ中央を貫通して直交するように、ボルト孔２２を形成するとともに、上鉛直板１２及び下鉛直板１３のほぼ中央にスリット２１に嵌挿したときにボルト孔２２と連続するように、ボルト孔１４を形成し、上鉛直板１２、下鉛直板１３をスリット２１に嵌挿した状態でボルト孔１４、２２にボルト３を挿通し、挿通したボルト３にナット４を螺着し、杭連結具１と木杭２を固定してもよい。
【００１８】
上側の木杭２ａと下側の木杭２ｂとは、それぞれの木杭と連結して固定した杭連結具１を介して一体となっている。
このため、上側の木杭２ａを上方に引き上げると下側の木杭２ｂも上方に引き上げられる。よって、打設だけでなく引き抜きも行うことができる支持杭を構築することができる。
【００１９】
＜７＞上鉛直板、下鉛直板の配置
上述した実施例では、上鉛直板１２と下鉛直板１３は、同一平面となるように形成したが、互いに交差し、直角をなすように形成してもよい。（図３）
上鉛直板１２と下鉛直板１３を直交させることにより、水平力の作用する方向が回転しても曲げ耐力が一定な、等方的な支持杭を構築することができる。
【００２０】
＜８＞筒体
また、杭連結具１には、木杭２ａ、２ｂの端部を包囲するように、水平板１１の外周に沿って筒体１５を設けてもよい。（図４）
筒体１５は、木杭２ａ、２ｂの連結前に予め水平板に固定しておいても良いし、木杭２ａ、２ｂを連結した後に木杭２ａに挿通して水平板１１の外周に配置して固定してもよい。
筒体１５が木杭２ａ、２ｂを連結する際のガイドになるとともに、筒体１５によって、鉛直板１２、１３に作用する水平力や回転力が筒体１５に分散される。
また、筒体１５には、木杭２のボルト孔２２と連続するボルト孔１５１を設けてもよい。これにより、ボルト孔２２に作用する力が筒体１５に分散される。この場合、筒体１５の高さが鉛直板１２、１３より高ければ、鉛直板１２、１３のボルト孔１４は不要であり、木杭２のボルト孔２２も、スリット２１を貫通する必要がない。
【符号の説明】
【００２１】
１・・・・木杭連結具
１１・・・水平板
１１１・・上面
１１２・・下面
１２・・・上鉛直板
１３・・・下鉛直板
１４・・・ボルト孔
１５・・・筒体
２・・・・木杭
２１・・・スリット
２２・・・ボルト孔
３・・・・ボルト
４・・・・ナット
【図１】
0005422397.tif 000002
【図２】
0005422397.tif 000003
【図３】
0005422397.tif 000004
【図４】
0005422397.tif 000005